(57)【特許請求の範囲】
【請求項１】
箱本体の背板に、左右方向へ延びる横レールを配設するとともに、当該横レールの前面に、左右両側面が後側へ折り曲げられた縦レールを連結した電気機器収納用箱体であって、
前記縦レールの左右両側面間に補強金具を嵌め込み、当該補強金具の前面及び左右両側面を前記縦レールの前面及び左右両側面に内面側から当接させた状態で、前記縦レールに前記補強金具を固定するとともに、前記補強金具を介して前記横レールと前記縦レールとを連結したことを特徴とする電気機器収納用箱体。
【請求項２】
前記縦レールの左右両側面に、後端側から切り欠かれた切り欠き部を設ける一方、前記補強金具の左右両側面に、前記切り欠き部の後端面が当接する当接部を設けたことを特徴とする請求項１に記載の電気機器収納用箱体。
【発明の詳細な説明】
【技術分野】
【０００１】
本発明は、たとえば分電盤として使用するキャビネット等といった電気機器収納用箱体に関するものである。
【背景技術】
【０００２】
従来、たとえば分電盤等で使用される電気機器収納用箱体としては、背板内面の上縁部や下縁部に左右方向へ延びる横レールを配設するとともに、横レール同士を上下で連結するように複数の縦レールを配設し、縦レール間に架設された固定金具に各種電気機器を固定するように構成したものがある（たとえば特許文献１）。また、この縦レールに、所謂覆い立てを立設するとともに、覆い立ての先端部に、電気機器の配線を覆うための配線覆い用カバーを、上下方向を軸とした片開き可能に取り付けることもある。なお、縦レールは、自身の強度を向上させるべく、左右両側を後側へ折り曲げられ、上面視で後側へ開口する略コ字状に形成されている。
【先行技術文献】
【特許文献】
【０００３】
【特許文献１】特開２０１０−６３２５４号公報
【発明の概要】
【発明が解決しようとする課題】
【０００４】
近年、電気機器収納用箱体の大型化に伴い、配線覆い用カバーとしても大型のものを取り付けることがある。また、従来よりも大型で重量のある電気機器を収納するケースも増えている。しかしながら、従来の電気機器収納用箱体では、縦レールと横レールとの接触面が狭いこともあり、縦レール（特に横レールとの連結部分）が配線覆い用カバーや電気機器の重量によって変形してしまい、配線覆い用カバーと電気機器とが干渉してしまう等の問題が生じていた。
【０００５】
そこで、本発明は、上記問題に鑑みなされたものであって、たとえ重量のある配線覆い用カバーや電気機器が取り付けられたとしても、縦レールが変形しにくい電気機器収納用箱体を提供しようとするものである。
【課題を解決するための手段】
【０００６】
上記目的を達成するために、本発明のうち請求項１に記載の発明は、箱本体の背板に、左右方向へ延びる横レールを配設するとともに、当該横レールの前面に、左右両側面が後側へ折り曲げられた縦レールを連結した電気機器収納用箱体であって、前記縦レールの左右両側面間に補強金具を嵌め込み、当該補強金具の前面及び左右両側面を前記縦レールの前面及び左右両側面に内面側から当接させた状態で、前記縦レールに前記補強金具を固定するとともに、前記補強金具を介して前記横レールと前記縦レールとを連結したことを特徴とする。
また、請求項２に記載の発明は、請求項１に記載の発明において、前記縦レールの左右両側面に、後端側から切り欠かれた切り欠き部を設ける一方、前記補強金具の左右両側面に、前記切り欠き部の後端面が当接する当接部を設けたことを特徴とする。
【発明の効果】
【０００７】
本発明によれば、左右両側部を後側へ折り曲げられた縦レールの左右両側面間に補強金具を嵌め込み、当該補強金具の前面及び左右両側面を縦レールの前面及び左右両側面に内面側から当接させた状態で、縦レールに補強金具を固定するとともに、その補強金具を介して横レールと縦レールとを連結している。したがって、横レールと縦レールとの連結箇所の強度を向上させることができ、たとえ重量のある配線覆い用カバーや電気機器が縦レールに取り付けられたとしても、縦レールが変形したりせず、配線覆い用カバーと電気機器とが干渉してしまう等の問題が生じない。
また、縦レールの左右両側面に、後端側から切り欠かれた切り欠き部を設ける一方、補強金具の左右両側面に、切り欠き部の後端面が当接する当接部を設けているため、補強金具の固定に伴い縦レールの強度を一層向上することができ、縦レールの変形を一層確実に防止することができる。
【図面の簡単な説明】
【０００８】
【図１】電気機器収納用箱体を前面側から示した説明図である。
【図２】横レール同士を連結するように配設された縦レールを示した説明図である。
【図３】縦レールの上端部における縦レールと横レールとの連結構造の分解状態を示した説明図である。
【図４】縦レールの中央部における縦レールと横レールとの連結構造の分解状態を示した説明図である。
【図５】縦レールの下端部における縦レールと横レールとの連結構造の分解状態を示した説明図である。
【図６】縦レールに電気機器や覆い立てを取り付けた状態を示した説明図である。
【図７】図６の状態における縦レールの上部と横レールとの連結箇所の断面を示した説明図である。
【図８】図７中の領域Ａを拡大して示した説明図である。
【発明を実施するための形態】
【０００９】
以下、本発明の一実施形態となる電気機器収納用箱体について、図面にもとづき詳細に説明する。
【００１０】
図１は、電気機器収納用箱体１（以下、単に箱体１と称す）を前面側から示した説明図である。図２は、横レール４、４・・同士を連結するように配設された縦レール５を示した説明図である。図３は、縦レール５の上端部における縦レール５と横レール４との連結構造の分解状態を示した説明図である。図４は、縦レール５の中央部における縦レール５と横レール４との連結構造の分解状態を示した説明図である。図５は、縦レール５の下端部における縦レール５と横レール４との連結構造の分解状態を示した説明図である。図６は、縦レール５、５・・に電気機器３０、３０や覆い立て３１、３１を取り付けた状態を示した説明図である。図７は、図６の状態における縦レール５の上部と横レール４との連結箇所の断面を示した説明図である。図８は、図７中の領域Ａを拡大して示した説明図である。
【００１１】
箱体１は、天板、左右側板、底板、及び背板２ａ（図６に示す）を有して前面に開口する箱本体２と、箱本体２の開口を開閉すべく観音開き状に取り付けられた一対の前扉３、３とを備えてなる。また、背板２ａの内面側には、従来同様に横レール４、４・・が左右方向に配設されているとともに、横レール４、４・・同士を連結するように縦レール５、５・・が上下方向へ配設されている。そして、図６に示すように、箱体１では、隣り合う縦レール５、５間に跨るように固定金具６、６・・が架設されており、該固定金具６、６・・の前面に各種電気機器３０、３０を固定することによって、電気機器３０、３０を収納可能となっている。また、固定金具６、６・・が架設される縦レール５の外側（箱体１の外側）に隣接する縦レール５の上端部及び下端部には、アーム状の覆い立て３１、３１が前方へ立設されており、該覆い立て３１、３１の先端部に図示しない配線覆い用カバーが上下方向を軸として片開き自在に取付可能となっている。
【００１２】
ここで、本発明の要部となる横レール４と縦レール５との連結構造について説明する。
横レール４は、上部及び下部を後側へ折り曲げられて側面視略コ字状とされた上下に細く左右方向へ長い金属製部材であって、横レール４と縦レール５とを連結するための連結ボルト３３のボルト頭３３ａを掛止すべく切り欠き状に形成されたレール連結部７が、左右両端部を含め長手方向に沿って複数設けられている。
【００１３】
一方、縦レール５は、左部及び右部を後側へ折り曲げられて上面視略コ字状とされた左右に細く上下方向へ長い金属製部材である。そして、該縦レール５の上端部には、前面を上端縁から下方へＵ字状に切り欠いてなる挿通溝１１と、左右の側面を夫々上端縁から下方へＬ字状に切り欠いてなる切り欠き段部１２と、各側面における切り欠き段部１２の下方に夫々穿設され、取付ビス３２を挿通可能な取付孔１３とを有するレール上連結部が設けられている。また、縦レール５の長手方向での中央部には、右側面を段状に切り欠いてなる切り欠き段部１４と、右側面における切り欠き段部１４の上下両側に穿設され、取付ビス３２を挿通可能な取付孔１５、１５と、左側面における取付孔１５、１５と対向する位置に穿設され、取付ビル３２を挿通可能な取付孔（図示せず）とを有するレール中連結部が設けられている。さらに、縦レール５の下端部には、前面を下端縁から上方へ逆Ｕ字状に切り欠いてなる挿通溝１６と、左右の側面を夫々下端縁から上方へ逆Ｌ字状に切り欠いてなる切り欠き段部１７と、前面における挿通溝１６の上方及び各側面における切り欠き段部１７の上方に夫々穿設され、取付ビス３２を挿通可能な取付孔１８とを有するレール下連結部が設けられている。
【００１４】
さらに、横レール４と縦レール５とは、各レール連結部において対応する補強金具４０、５０、６０を介して連結される。
そこで、各補強金具４０、５０、６０を順に説明すると、まず上補強金具４０は、縦レール５のレール上連結部と横レール４の連結部との間に介在されるものであって、上下方向へ長い柱状に形成されており、縦レール５の後方から縦レール５の左右両側面間に嵌め込むことで、上補強金具４０の左右両側面が縦レール５の左右両側面に、上補強金具４０の前面が縦レール５の前面に夫々内面側から当接可能となっている。また、上補強金具４０の左右両側面の上部には、左右外側へ突出する補強段部４１が夫々設けられており、該補強段部４１の前面及び下面が切り欠き段部１２の端面と当接可能となっている。さらに、上補強金具４０の上部前側には、下方へＵ字状に切り欠かれたＵ字溝４２が設けられている一方、上部後側には、Ｕ字溝４２よりも左右幅及び上下幅のある凹部４３がＵ字溝４２に連通して設けられており、連結ボルト３３を横レール４に締結するための第１ナット３４を、その前面が凹部４３の底面に、周面が凹部４３の内周面に夫々接触しない状態で埋入可能としている。加えて、上補強金具４０の左右両側面における補強段部４１の下側には、取付ビス３２をビス止めするためのビス孔４４が夫々穿設されている。なお、上補強金具４０の後面で、凹部４３の左右両側となる箇所は、縦レール５の後端面よりも左右で肉厚とされている。
【００１５】
中補強金具５０は、縦レール５のレール中連結部と横レール４の連結部との間に介在されるものであって、上下方向へ長い柱状に形成された本体５１と、本体５１から右側へ突設されたボルト固定部５２とを有しており、ボルト固定部５２が切り欠き段部１４を介して縦レール５の右側へ突出するように、本体５１を縦レール５の後方から縦レール５の左右両側面間に嵌め込むことで、本体５１の左右両側面が縦レール５の左右両側面に、本体５１の前面が縦レール５の前面に夫々内面側から当接可能となっている。また、本体５１とボルト固定部５２との境界部分には、切り欠き段部１４の一部が嵌入可能な嵌入溝５３が設けられており、ボルト固定部５２の境界部分における上面、前面、下面、及び嵌入溝５３内面が切り欠き段部１４の端面と当接可能となっている。さらに、ボルト固定部５２の前面には、連結ボルト３３を挿通可能な挿通孔５４が開設されている一方、ボルト固定部５２の後面で挿通孔５４の後側となる位置には、挿通孔５４よりも左右幅及び上下幅のある凹部（図示せず）が挿通孔５４に連通して設けられており、第１ナット３４を、その前面が凹部の底面に、周面が凹部の内周面に夫々接触しない状態で埋入可能としている。加えて、本体５１の左右両側面の上部及び下部には、取付ビス３２をビス止めするためのビス孔５５が夫々穿設されている。なお、中補強金具５０の後面で、凹部の左右両側となる箇所は、縦レール５の後端面よりも左右で肉厚とされている。
【００１６】
下補強金具６０は、縦レール５のレール下連結部と横レール４の連結部との間に介在されるものであって、上補強金具４０を逆さにしたような上下方向へ長い柱状に形成されており、縦レール５の後方から縦レール５の左右両側面間に嵌め込むことで、下補強金具６０の左右両側面が縦レール５の左右両側面に、下補強金具６０の前面が縦レール５の前面に夫々内面側から当接可能となっている。また、下補強金具６０の左右両側面の下部には、左右外側へ突出する補強段部６１が夫々設けられており、該補強段部６１の前面及び上面が切り欠き段部１７の端面と当接可能となっている。さらに、下補強金具６０の下部前側には、連結ボルト３３を挿通可能な挿通孔６２が穿設されている一方、下補強金具６０の後面で挿通孔６２の後側となる位置には、挿通孔６２よりも左右幅及び上下幅のある凹部（図示せず）が挿通孔６２に連通して設けられており、第１ナット３４を、その前面が凹部の底面に、周面が凹部の内周面に夫々接触しない状態で埋入可能としている。加えて、下補強金具６０の前面で挿通孔６２の上側、及び下補強金具６０の左右両側面における補強段部６１の上側には、取付ビス３２をビス止めするためのビス孔６３が夫々穿設されている。なお、下補強金具６０の後面で、凹部の左右両側となる箇所は、縦レール５の後端面よりも左右で肉厚とされている。
【００１７】
以上のような補強金具４０、５０、６０を用い、横レール４と縦レール５とは以下のように連結される。
まず、背板２ａに配設された横レール４の適宜箇所において、連結ボルト３３のボルト頭３３ａをレール連結部７に掛止させ、第１ナット３４を締結するとともに固定部材３６を取り付けて、連結ボルト３３を横レール４に固定する。一方、縦レール５では、上補強金具４０をレール上連結部に、中補強金具５０をレール中連結部に、下補強金具６０をレール下連結部に夫々縦レール５の後方から縦レール５内へ嵌め込み、取付ビス３２により補強金具４０、５０、６０を縦レール５に固定する。そして、レール上連結部では、連結ボルト３３のねじ部を凹部４３、Ｕ字溝４２、及び挿通溝１１へ挿通させ、第１ナット３４を凹部４３内へ埋入させた状態で第２ナット３５を縦レール５の前面側から締結する。また、レール中連結部では、連結ボルト３３のねじ部を凹部、及び挿通孔５４へ挿通させ、第１ナット３４を凹部内へ埋入させた状態で第２ナット３５を縦レール５の前面側から締結する。さらに、レール下連結部では、連結ボルト３３のねじ部を凹部、及び挿通孔６２へ挿通させ、第１ナット３４を凹部内へ埋入させた状態で第２ナット３５を縦レール５の前面側から締結する。すると、縦レール５が、補強金具４０、５０、６０を介して横レール４に連結されることになる。
【００１８】
そして、上記連結状態では、補強金具４０、５０、６０の後面（特に凹部の周囲部分）が横レール４の前面に接触しているとともに、補強金具４０、５０、６０の前面及び左右両側面が縦レール５の前面及び左右両側面の内面に、更に補強金具４０、５０、６０の補強段部４１、６１や嵌入溝５３が縦レール５の切り欠き段部１２、１４、１７の後端面に夫々接触した状態となっている。また、第１ナット３４は、その前面が補強金具４０、５０、６０の凹部の底面に、周面が凹部の内周面に夫々接触しない状態で凹部内に埋入されている。
【００１９】
以上のような構成を有する箱体１によれば、左右両側部を後側へ折り曲げられた縦レール５のレール連結部において、縦レール５の左右両側面間に補強金具４０、５０、６０を嵌め込んで、補強金具４０、５０、６０の前面及び左右両側面を縦レール５の前面及び左右両側面に内面側から当接させた状態で、縦レール５に補強金具４０、５０、６０を固定するとともに、当該補強金具４０、５０、６０を介して横レール４と縦レール５とを連結している。したがって、横レール４と縦レール５との連結箇所の強度が向上するとともに、横レール４と縦レール５側との接触面が従来よりも広くなるため、たとえ重量のある配線覆い用カバーや電気機器が縦レール５に取り付けられたとしても、縦レール５が変形したりせず、配線覆い用カバーと電気機器とが干渉してしまう等の問題が生じない。
【００２０】
また、縦レール５のレール連結部に切り欠き段部１２、１４、１７を設ける一方、補強金具４０、５０、６０に切り欠き段部１２、１４、１７の後端面が当接する補強段部４１、６１や嵌入溝５３を設けているため、補強金具４０、５０、６０の固定に伴い縦レール５の強度を一層向上することができ、縦レール５の変形を一層確実に防止することができる。
さらに、補強金具４０、５０、６０に凹部を設け、横レール４に連結ボルト３３を固定するための第１ナット３４を、その前面が凹部の底面に、周面が凹部の内周面に夫々接触しない状態で凹部内に埋入されている。したがって、配線覆い用カバーや電気機器を取り付けることで縦レール５にねじれ方向への負荷がかかったとしても、当該負荷が第１ナット３４に直接伝わらないため、第１ナット３４に損傷や変形、緩み等が生じにくく、横レール４と縦レール５との連結状態を良好に保持することができる。
【００２１】
なお、本発明に係る電気機器収納用箱体は、上記実施形態の態様に何ら限定されるものではなく、電気機器収納用箱体の全体的な構成は勿論、横レールや縦レール、補強金具等の構成についても、本発明の趣旨を逸脱しない範囲で、必要に応じて適宜変更することができる。
【００２２】
たとえば、上記実施形態では、上補強金具、中補強金具、及び下補強金具の三種類の補強金具を使用しているが、たとえば中補強金具に対応する一種類のみの補強金具しか使用しないとしても何ら問題はなく、縦レールに設ける切り欠き段部の形状や有無等についても補強金具の形状等に応じて適宜変更することができる。
また、縦レールの上下両端部のみを横レールに連結するように構成してもよいし、４箇所以上において縦レールを横レールに連結するように構成することも当然可能である。
【００２３】
さらに、凹部内へ第１ナットを埋入するにあたり、第１ナットの前面が凹部の底面に当接していたとしても、縦レールの強度向上といった効果を奏することはできる。
加えて、縦レールにおけるレール連結部以外の箇所においても補強金具を取り付け、縦レールの強度向上を図るように構成してもよい。
【符号の説明】
【００２４】
１・・電気機器収納用箱体、２・・箱本体、２ａ・・背板、４・・横レール、５・・縦レール、７・・レール連結部、１１、１６・・挿通溝、１２、１４、１７・・切り欠き段部、１３、１５、１８・・取付孔、３２・・取付ビス、４０・・上補強金具、４１・・補強段部（当接部）、４２・・Ｕ字溝、４３・・凹部、４４、５５、６３・・ビス孔、５０・・中補強金具、５１・・本体、５２・・ボルト固定部、５３・・嵌入溝（当接部）、５４・・挿通孔、６０・・下補強金具、６１・・補強段部（当接部）、６２・・挿通孔。
【図１】
0006503232.tif 000002
【図２】
0006503232.tif 000003
【図３】
0006503232.tif 000004
【図４】
0006503232.tif 000005
【図５】
0006503232.tif 000006
【図６】
0006503232.tif 000007
【図７】
0006503232.tif 000008
【図８】
0006503232.tif 000009